【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
ケミカルシフトイメージングの対象となる複数の物質のケミカルシフトデータを保存するケミカルシフトデータ保存部と、
第１の励起パルスの中心周波数を指定された第１の物質の共鳴周波数に合わせる第１の周波数調整部と、
前記第１の励起パルスを用いて第１のケミカルシフトイメージングスキャンを実行することによって、前記第１の物質を含む領域から第１の磁気共鳴信号を収集し、前記第１の磁気共鳴信号を用いて前記第１の物質を強調した画像を生成する第１のイメージング部と、
第２の励起パルスの中心周波数を予め指定された第２の物質の共鳴周波数に前記ケミカルシフトデータ保存部に保存された前記第１の物質および前記第２の物質の少なくとも一方についてのケミカルシフトデータに基づいて自動的に合わせる第２の周波数調整部と、
前記第２の励起パルスを用いて第２のケミカルシフトイメージングスキャンを実行することによって、前記第２の物質を含む領域から第２の磁気共鳴信号を収集し、前記第２の磁気共鳴信号を用いて前記第２の物質を強調した画像を生成する第２のイメージング部と、
を有することを特徴とする磁気共鳴イメージング装置。
【請求項２】
ケミカルシフトイメージングの対象となる複数の物質のケミカルシフトデータを保存するケミカルシフトデータ保存部と、
第１の励起パルスの中心周波数をシリコーンおよび水のいずれか指定された一方の第１の物質の共鳴周波数に合わせる第１の周波数調整部と、
前記第１の励起パルスを用いて第１のケミカルシフトイメージングスキャンを実行することによって、前記第１の物質を含む領域から第１の磁気共鳴信号を収集し、前記第１の磁気共鳴信号を用いて前記第１の物質を強調した画像を生成する第１のイメージング部と、
第２の励起パルスの中心周波数をシリコーンおよび水の他方の第２の物質の共鳴周波数に前記ケミカルシフトデータ保存部に保存された前記他方のケミカルシフトデータに基いて自動的に合わせる第２の周波数調整部と、
前記第２の励起パルスを用いて第２のケミカルシフトイメージングスキャンを実行することによって、前記第２の物質を含む領域から第２の磁気共鳴信号を収集し、前記第２の磁気共鳴信号を用いて前記第２の物質を強調した画像を生成する第２のイメージング部と、
を有することを特徴とする磁気共鳴イメージング装置。
【請求項３】
ケミカルシフトイメージングの対象となる物質を指定する物質指定部と、
前記対象として指定できる各物質のケミカルシフトデータを保存するケミカルシフトデータ保存部と、
周波数スペクトルを取得する周波数スペクトル取得部と、
前記物質指定部によりシリコーンが指定された場合に、前記ケミカルシフトデータ保存部に保存された前記シリコーンのケミカルシフトデータおよび前記周波数スペクトルに基いて励起パルスの中心周波数を前記シリコーンの共鳴周波数に合わせる周波数調整部と、
前記励起パルスを用いてケミカルシフトイメージングスキャンを実行することによって、前記シリコーンを含む領域から磁気共鳴信号を収集し、前記磁気共鳴信号を用いて前記シリコーンを強調した画像を生成するイメージング部と、
を有することを特徴とする磁気共鳴イメージング装置。
【請求項４】
ケミカルシフトイメージングの対象となる物質を指定する物質指定部と、
前記対象として指定できる各物質のケミカルシフトデータを保存するケミカルシフトデータ保存部と、
周波数スペクトルを取得する周波数スペクトル取得部と、
励起パルスの中心周波数を前記指定された物質の共鳴周波数に前記ケミカルシフトデータ保存部に保存された前記指定された物質についてのケミカルシフトデータおよび前記周波数スペクトルに基いて合わせる周波数調整部と、
前記指定された物質についてのケミカルシフトデータに基いて前記指定された物質からの磁気共鳴信号が強調されるように磁化条件を調整したシーケンスを用いてケミカルシフトイメージングスキャンを実行し、前記指定された物質を含む領域から収集した磁気共鳴信号を用いて前記指定された物質を強調した画像を生成するイメージング部と、
を有することを特徴とする磁気共鳴イメージング装置。
【請求項５】
第１の物質および第２の物質の少なくとも一方のケミカルシフトデータを保存するケミカルシフトデータ保存部と、
周波数スペクトルを取得する周波数スペクトル取得部と、
前記周波数スペクトルに基いて前記第２の物質の共鳴周波数が前記第１の物質の共鳴周波数であると誤認識されて取得された場合および前記第１の物質の共鳴周波数を求めるために取得された場合のいずれかの場合に、取得された前記第２の物質の共鳴周波数を前記ケミカルシフトデータに基いて前記第１の物質の共鳴周波数に補正する共鳴周波数補正部と、
を有することを特徴とする磁気共鳴イメージング装置。
【請求項６】
前記第１のイメージング部は、前記第２の物質の共鳴周波数帯域とオーバーラップしないように周波数帯域およびロブ長の少なくとも一方を調整した前記第１の励起パルスに続いて前記第１の励起パルスとともに印加されるスライス選択用傾斜磁場と極性が逆のスライス選択用傾斜磁場をリフォーカスパルスとともに印加するシーケンス、前記第１の物質についてのケミカルシフトデータに基いて前記第１の磁気共鳴信号が強調されるように２項分布に従う割合で励起パルスを分割したコンポーネントパルス間の時間を磁化条件として調整したシーケンスおよび前記第１の物質についてのケミカルシフトデータに基いて前記第１の磁気共鳴信号が強調されるようにリフォーカスパルス前後に印加されるπパルスおよび−πパルスと前記リフォーカスパルスとのそれぞれの間の時間を磁化条件として調整したシーケンスのいずれかのシーケンスを用いることによって前記第１のケミカルシフトイメージングスキャンを実行するように構成される一方、
前記第２のイメージング部は、前記第１の物質の共鳴周波数帯域とオーバーラップしないように周波数帯域およびロブ長の少なくとも一方を調整した前記第２の励起パルスに続いて前記第２の励起パルスとともに印加されるスライス選択用傾斜磁場と極性が逆のスライス選択用傾斜磁場をリフォーカスパルスとともに印加するシーケンス、前記第２の物質についてのケミカルシフトデータに基いて前記第２の磁気共鳴信号が強調されるように２項分布に従う割合で励起パルスを分割したコンポーネントパルス間の時間を磁化条件として調整したシーケンスおよび前記第２の物質についてのケミカルシフトデータに基いて前記第２の磁気共鳴信号が強調されるようにリフォーカスパルス前後に印加されるπパルスおよび−πパルスと前記リフォーカスパルスとのそれぞれの間の時間を磁化条件として調整したシーケンスのいずれかのシーケンスを用いることによって前記第２のケミカルシフトイメージングスキャンを実行するように構成される、
ことを特徴とする請求項１または２記載の磁気共鳴イメージング装置。
【請求項７】
イメージング対象となる物質の名称、イメージングに用いるシーケンスの名称、イメージングの目的およびイメージング対象となる物質についてのケミカルシフトデータのいずれかを特定することによって前記第１の物質および前記第２の物質を指定する物質指定部をさらに設けたことを特徴とする請求項１または２記載の磁気共鳴イメージング装置。
【請求項８】
周波数スペクトルを取得する周波数スペクトル取得部と、
前記周波数スペクトルから前記第１の物質の共鳴周波数を取得する共鳴周波数取得部と、
前記共鳴周波数取得部により前記第１の物質と異なる物質の共鳴周波数が前記第１の物質の共鳴周波数であると誤認識されて取得された場合に、取得された前記異なるの物質の共鳴周波数を前記ケミカルシフトデータに基いて前記第１の物質の共鳴周波数に補正する共鳴周波数補正部と、
をさらに設けたことを特徴とする請求項１または２記載の磁気共鳴イメージング装置。
【請求項９】
脂肪抑制パルスの印加を伴うケミカルシフトイメージングスキャンを実行することによって、脂肪を含む領域からの信号を抑制しつつ前記シリコーンを含む領域から磁気共鳴信号を収集し、前記磁気共鳴信号を用いて前記シリコーンを強調した画像を生成する脂肪抑制イメージング部をさらに設けたことを特徴とする請求項２または３記載の磁気共鳴イメージング装置。
【請求項１０】
前記イメージング部は、水の共鳴周波数帯域とオーバーラップしないように周波数帯域およびロブ長の少なくとも一方を調整した前記励起パルスに続いて前記励起パルスとともに印加されるスライス選択用傾斜磁場と極性が逆のスライス選択用傾斜磁場とともにリフォーカスパルスを印加するシーケンス、前記シリコーンのケミカルシフトデータに基いて前記磁気共鳴信号が強調されるように２項分布に従う割合で励起パルスを分割したコンポーネントパルス間の時間を磁化条件として調整したシーケンスおよび前記シリコーンのケミカルシフトデータに基いて前記磁気共鳴信号が強調されるようにリフォーカスパルス前後に印加されるπパルスおよび−πパルスと前記リフォーカスパルスとのそれぞれの間の時間を磁化条件として調整したシーケンスのいずれかのシーケンスを用いることによって前記ケミカルシフトイメージングスキャンを実行するように構成されることを特徴とする請求項３記載の磁気共鳴イメージング装置。
【請求項１１】
前記物質指定部は、イメージング対象となる物質の名称、イメージングに用いるシーケンスの名称、イメージングの目的およびイメージング対象となる物質についてのケミカルシフトデータのいずれかを特定することによって前記対象となる物質を指定するように構成されることを特徴とする請求項３または４記載の磁気共鳴イメージング装置。
【請求項１２】
前記イメージング部は、抑制すべき物質の共鳴周波数帯域とオーバーラップしないように周波数帯域およびロブ長の少なくとも一方を調整した前記励起パルスに続いて前記励起パルスとともに印加されるスライス選択用傾斜磁場と極性が逆のスライス選択用傾斜磁場をリフォーカスパルスとともに印加するシーケンスを用いることによって前記ケミカルシフトイメージングスキャンを実行するように構成されることを特徴とする請求項４記載の磁気共鳴イメージング装置。
【請求項１３】
前記イメージング部は、２項分布に従う割合で励起パルスを分割したコンポーネントパルス間の時間を前記磁化条件として調整したシーケンスを用いることによって前記ケミカルシフトイメージングスキャンを実行するように構成されることを特徴とする請求項４記載の磁気共鳴イメージング装置。
【請求項１４】
前記イメージング部は、リフォーカスパルス前後に印加されるπパルスおよび−πパルスと前記リフォーカスパルスとのそれぞれの間の時間を前記磁化条件として調整したシーケンスを用いることによって前記ケミカルシフトイメージングスキャンを実行するように構成されることを特徴とする請求項４記載の磁気共鳴イメージング装置。
【請求項１５】
前記共鳴周波数補正部は、シリコーンの共鳴周波数が水の共鳴周波数であると誤認識されて取得された場合および前記水の共鳴周波数を求めるために取得された場合のいずれかの場合に、取得された前記シリコーンの共鳴周波数を前記水の共鳴周波数に補正するように構成されることを特徴とする請求項５記載の磁気共鳴イメージング装置。
【請求項１６】
前記共鳴周波数補正部は、前記周波数スペクトルにおける前記第１の物質の共鳴周波数のピークの位置に基いて、前記第２の物質の共鳴周波数が前記第１の物質の共鳴周波数であると誤認識されて取得されたか否かを検知するように構成されることを特徴とする請求項５記載の磁気共鳴イメージング装置。
【請求項１７】
前記共鳴周波数取得部は、水の共鳴周波数を取得するように構成され、
前記共鳴周波数補正部は、前記共鳴周波数取得部によりシリコーンの共鳴周波数が水の共鳴周波数であると誤認識されて取得された場合に、取得されたシリコーンの共鳴周波数を前記ケミカルシフトデータに基いて前記水の共鳴周波数に補正するように構成されることを特徴とする請求項８記載の磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】０００１
【補正方法】変更
【補正の内容】
【０００１】
本発明は、被検体の原子核スピンをラーモア周波数の高周波（ＲＦ: radio frequency）信号で磁気的に励起し、この励起に伴って発生する磁気共鳴（ＭＲ：magnetic resonance）信号から画像を再構成する磁気共鳴イメージング装置に係り、特に、励起パルスの中心周波数を調整することによってケミカルシフト（化学シフト）の異なる物質を選択的にイメージングする磁気共鳴イメージング装置に関する。
【手続補正４】
【補正対象書類名】明細書
【補正対象項目名】００２４
【補正方法】変更
【補正の内容】
【００２４】
本発明はかかる従来の事情に対処するためになされたものであり、より簡便な操作で適切に目的とする物質についてのケミカルシフトを利用したイメージングを行うことが可能な磁気共鳴イメージング装置を提供することを目的とする。
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】変更
【補正の内容】
【００３５】
本発明に係る磁気共鳴イメージング装置においては、より簡便な操作で適切に目的とする物質についてのケミカルシフトを利用したイメージングを行うことができる。
【手続補正１１】
【補正対象書類名】明細書
【補正対象項目名】００３６
【補正方法】変更
【補正の内容】
【００３６】
本発明に係る磁気共鳴イメージング装置の実施の形態について添付図面を参照して説明する。